(57)【要約】【課題】  低コストで簡便な方法により、食品工場等における作業者からの毛髪等の落下を効果的に防止できる毛髪落下防止用ヘアバンドを提供する。【解決手段】  この毛髪落下防止用のヘアバンド１０は帯電性不織布からなり、適用者の頭部周長よりも長い帯状のバンド本体１１と、このバンド本体１１の両端部１２、１３を着脱可能に連結する連結手段とを備えており、連結手段として面ファスナー１４、１５が設けられている。このヘアバンド１０は、例えば食品工場において、作業者が頭部に装着して使用される。【選択図】  図１
2005192733.tif 000002
【特許請求の範囲】
【請求項１】
帯電性不織布からなり、適用者の頭部周長よりも長い帯状のバンド本体と、このバンド本体の両端部を着脱可能に連結する連結手段とを備えていることを特徴とする毛髪落下防止用ヘアバンド。
【請求項２】
前記連結手段が面ファスナーである請求項１記載の毛髪落下防止用ヘアバンド。
【請求項３】
食品工場での作業者が使用するための請求項１又は２に記載の毛髪落下防止用ヘアバンド。
【発明の詳細な説明】
【技術分野】
【０００１】
本発明は、例えば、食品工場における作業者からの毛髪等の落下を防止するためのヘアバンドに関する。
【背景技術】
【０００２】
食品工場等においては、衛生性の点から食品への異物等の混入を防ぐ必要がある。このため、帽子、白衣等の着衣やクリーンルームの使用等が必要に応じて行われている。なかでも、人体から発生する毛髪は作業者から製品中に混入し易く、毛髪は消費者による混入発見も容易であることから、弁当、惣菜等の食品工場においては、特に充分な毛髪混入の防止対策が必要とされている。
【０００３】
毛髪落下の防止対策としては、着帽が最も簡便であり広く行われている。しかし、着帽のみでは完全に毛髪の落下を防止することが困難である。また、頭部から全身を覆う白衣や防塵服を着用することも行われているが、簡便でなく、作業者にとっても不快で負担となる。また、このような白衣においてもやはり顔面部分は開口しているため、この開口部からの毛髪落下の恐れがある。
【０００４】
一方、塵や埃を吸着する繊維として、帯電性繊維が知られている。帯電性繊維はエレクトレット化繊維とも呼ばれ、例えば、ポリオレフィン等の繊維に高電圧を加えることにより永久帯電させるものであり、この帯電によって塵や埃を吸着させるものである。
【０００５】
この帯電性繊維からなる不織布を用い、集塵等のフィルター効果を向上させることが検討されており、例えば、下記の特許文献１には、芯鞘構造からなる複合繊維であって、鞘がポリブテン−１からなる繊維を用いた帯電性不織布が開示されていおり、これをエアーフィルターやワイパーとして用いることが開示されている。
【０００６】
また、下記の特許文献２には、比誘電率と導電率の比が異なる２種類以上の素材よりなる繊維が相互に混合されてなるエレクトレット混繊不織布が開示されており、これをエアーフィルターやマスクとして使用することが開示されている。
【０００７】
更に、下記の特許文献３には、エレクトレット化されたメルトブロー又はスパンボンド不織布からなる濾過層と、スパンボンド不織布又はネットからなる補強層とを有し、無塵衣との脱着手段を備えた無塵衣用交換布が開示されている。
【特許文献１】特開平５−１７９５１１号公報
【特許文献２】特開平１０−０１８１５５号公報
【特許文献３】特開平８−１９９４６６号公報
【発明の開示】
【発明が解決しようとする課題】
【０００８】
しかし、上記の従来技術のうち、特許文献１、２に開示されている帯電性不織布は、フィルターやマスクへの利用であり、作業者からの毛髪等の落下防止に対する利用は検討されていない。
【０００９】
また、特許文献３に開示されている帯電性不織布は、無塵衣の口部を覆うための交換布として用いており、やはり作業者からの毛髪等の落下防止に対する利用は検討されていない。また、このように作業者の全体を覆う無塵衣は大掛かりでコスト高であり、作業性も悪くなることから、食品工場等においては、より簡単な手段で毛髪等の落下による異物の混入を防止する方法が望まれていた。
【００１０】
したがって、本発明の目的は、低コストで簡便な方法により、食品工場等における作業者からの毛髪等の落下を効果的に防止できる毛髪落下防止用ヘアバンドを提供することを目的とする。
【課題を解決するための手段】
【００１１】
すなわち、本発明の毛髪落下防止用ヘアバンドは、帯電性不織布からなり、適用者の頭部周長よりも長い帯状のバンド本体と、このバンド本体の両端部を着脱可能に連結する連結手段とを備えていることを特徴とする。
【００１２】
本発明の毛髪落下防止用ヘアバンドによれば、適用者の頭部にバンド本体を巻いて連結手段によって連結することにより、ヘアバンドを簡潔に装着することができる。そして、このヘアバンドが帯電性不織布からなるので、落下した毛髪等の異物をこのヘアバンドの帯電によって確実に捕捉でき、製品への異物の混入を防止できる。
【００１３】
また、ヘアバンドは装着による違和感が少ないので、帽子等とは異なり常時装着可能である。また、別途帽子等との併用も可能である。そして、この際には、脱帽時に落下する恐れがある毛髪等もヘアバンドで捕捉できる。更に、バンドの両端部に連結手段が設けられた単純な構成であるので、着脱も容易であり、低コストで生産できる。
【００１４】
本発明の好ましい態様においては、前記連結手段が面ファスナーであることがより好ましい。この態様によれば、頭部への着脱を更に容易に行うことができる。
【００１５】
本発明のより好ましい態様においては、上記の毛髪落下防止用ヘアバンドが食品工場での作業者が使用するためのものである。これによれば、例えば、弁当や惣菜等の食品工場においては、特に充分な毛髪混入の防止対策が必要とされているので、本発明の毛髪落下防止用ヘアバンドが特に好適に使用できる。
【発明の効果】
【００１６】
本発明によれば、低コストで簡便な方法により、食品工場等における作業者からの毛髪等の落下を効果的に防止できる。
【発明を実施するための最良の形態】
【００１７】
図１（ａ）、（ｂ）には、本発明による毛髪落下防止用ヘアバンドのそれぞれ異なる実施形態が示されている。ただし、図１（ａ）、（ｂ）は、バンド本体の両端部の形状以外は基本的に同様の構成をなすので、以下、両者を一緒に説明する。
【００１８】
図１（ａ）、（ｂ）に示すように、このヘアバンド１０（２０）は、帯状のバンド本体１１（２１）と、その両端部１２、１３（２２、２３）を着脱可能とする連結手段である面ファスナー１４、１５（２４、２５）とから構成されている。そして、図１（ａ）ではバンド本体の両端部１２、１３における両側辺がテーパー状をなしており、図１（ｂ）ではバンド本体の両端部２２、２３における両側辺が平行である。
【００１９】
バンド本体１１（２１）は帯電性不織布からなる。帯電性不織布とは、ポリオレフィン等からなる不織布を高電圧等によって処理して帯電させた不織布である。これによって、不織布の一本一本の繊維が常に電気分極を保持し周囲に電界を形成し、落下する毛髪等を捕捉することができる。また、電気分極は長期間保持されるので、保持した毛髪等が再度落下することも防止される。
【００２０】
不織布の材料としては、特に限定されないが、ポリプロピレン、ポリエチレン、ポリメチルペンテンなどのポリオレフィン系繊維、ポリスチレン系繊維、ポリエステル系繊維、ポリアミド系繊維などの熱可塑性繊維からなるものが好ましく、なかでも、帯電性の点からはポリオレフィン系繊維が好ましい。これらの繊維は単独で用いてもよく、２種類以上の繊維を混繊して用いてもよく、芯鞘構造や海島構造等の複合繊維を用いてもよい。芯鞘構造の複合繊維を用いた帯電性繊維としては、例えば、上記の特開平５−１７９５１１号公報に記載の繊維が使用できる。
【００２１】
また、不織布の種類も特に限定されず、例えば、メルトブロー法、スパンボンド法、ニードルパンチ法等の、従来公知の製法による不織布を用いることができる。
【００２２】
不織布の帯電は、コロナ放電処理や高圧電場を通すことなどによりエレクトレット化処理（帯電処理）したものを使用できる。エレクトレット化の処理条件は特に限定されず適宜選択可能である。
【００２３】
上記のような帯電性不織布としては市販されているものを利用でき、このような市販品としては、例えば、「トレミクロン」（商品名：東レ株式会社製）、「マイクロウェッブ」（旭化成株式会社製）等を用いることができる。
【００２４】
バンド本体１１（２１）の形状は帯状であればよく特に限定されない。また、その両端部１２、１３（２２、２３）の形状も、図１（ａ）に示すように両端部の両側辺がテーパー状でもよく、図１（ｂ）に示すように両端部の両側辺が平行であってもよい。
【００２５】
バンド本体１１（２１）の長さは、作業者が装着した際にその頭部周長よりも長い必要がある。具体的には３０〜８０ｃｍであることが好ましい。また、バンド本体１１（２１）の幅は１〜１５ｃｍであることが好ましく、５〜１０ｃｍであることがより好ましい。１ｃｍより幅が狭いと落下する毛髪等を充分に捕捉できないので好ましくなく、１５ｃｍを超えると装着しずらくなり、製造コストも高くなるので好ましくない。
【００２６】
更に、バンド本体１１（２１）の両端部１２、１３（２２、２３）のそれぞれには面ファスナー１４、１５（２４、２５）が設けられている。すなわち、図１（ａ）においては、バンド本体１１の両端部１２、１３の先端部に重なるように、面ファスナー１４、１５がそれぞれ設けられている。また、図１（ｂ）においては、バンド本体２１の両端部２２、２３上に、面ファスナー２４、２５がそれぞれ設けられている。
【００２７】
このように、連結手段として面ファスナー１４、１５（２４、２５）を設けることにより、ヘアバンド１０（２０）の頭部への着脱を更に容易に行うことができる。面ファスナー１４、１５としては従来公知のものが使用でき特に限定されない。なお、本発明における連結手段としては、面ファスナーに限定されるものではなく、粘着テープ、フック、紐等であってもよい。更には、バンド本体１１（２１）の両端部１２、１３（２２、２３）を手で縛るようにしてもよく、本発明における連結手段とは、このようにヘアバンド自体が長く伸ばされて、手で縛れるようになっているものも含むものとする。
【００２８】
図２、３には、上記のヘアバンド１０（２０）の使用状態の一例が示されている。      図２に示すように、このヘアバンド１０（２０）は、例えば、食品工場等における製造ライン４０において作業者３０の頭部に巻かれて装着される。そして、バンド本体１１（２１）が帯電性不織布であるので、不織布の繊維が電気分極を保持して周囲に電界を形成しており、これによって落下する毛髪等を捕捉することができる。すなわち、作業者の頭部から毛髪等の異物が落下した際には、バンド本体１１（２１）の帯電効果によって毛髪等は捕捉されてバンド本体１１（２１）の表面に付着して再落下を防止する。したがって、直下にある弁当や惣菜等の製品４１への毛髪等の混入を防止することができる。
【００２９】
なお、上記のヘアバンド１０（２０）において捕捉可能な異物対象は、毛髪には限定されず、作業者より生じるフケ、塵、埃等の他、ヘアバンド付近の空間に存在する塵や埃も捕捉できる。
【００３０】
また、図３に示すように、ヘアバンド１０（２０）は、帽子５０と併用してもよい。この場合、ヘアバンドは装着による違和感が少ないので、帽子等とは異なり常時装着可能である。一方、帽子５０の場合は、休憩時間等、必要に応じて作業時間の前後に着脱される場合もあるが、この際にも本発明のヘアバンドを装着していることにより、帽子の着脱時に落下する恐れがある毛髪等もヘアバンド１０（２０）で捕捉することができ、更に衛生性を向上できる。
【実施例】
【００３１】
図１（ａ）に示すヘアバンド１０を、食品工場（弁当、惣菜を１５万食／日生産）で作業者全員が実際に使用し、毛髪等の混入クレーム数を使用前と比較した。なお、バンド本体１１としては、帯電性不織布として「トレミクロン」（商品名：東レ株式会社製）を、幅約１０ｃｍにして用いた。
【００３２】
その結果、ヘアバンド１０の使用前は、平均７〜１５件／月のクレーム数があったのに対し、ヘアバンド１０の使用後には平均１件／月とクレーム数が減少した。
【産業上の利用可能性】
【００３３】
本発明は、食品工場等における作業者からの毛髪等の落下を防止するためのヘアバンドとして好適に用いられる。
【図面の簡単な説明】
【００３４】
【図１】本発明の毛髪落下防止用ヘアバンドの一実施形態を示す概略図である。
【図２】本発明の毛髪落下防止用ヘアバンドの使用状態を示す図である。
【図３】図２における作業者の拡大図であって、本発明の毛髪落下防止用ヘアバンドの装着状態を示す図である。
【符号の説明】
【００３５】
１０、２０：ヘアバンド
１１、２１：バンド本体
１２、１３、２２、２３：両端部
１４、１５、２４、２５：面ファスナー
３０：作業者
４０：製造ライン
４１：製品
５０：帽子
【図１】
2005192733.tif 000003
【図２】
2005192733.tif 000004
【図３】
2005192733.tif 000005